(57)【要約】【課題】所定の設定項目について新たに条件を設定することが可能となるとともに、設定項目毎の設定条件画面に表示を切り換えることなく、既に設定された設定項目の設定条件を容易に初期条件に戻すことが可能な複合機１００を提供する。【解決手段】前記設定条件画面に表示される、「Ｃｈａｎｇｅ」キーの選択を受け付けると、当該キーの選択を受け付けた設定条件画面に対応する設定項目以外の設定項目であって、既に初期条件から所定の条件に設定された設定項目である既設定項目を検索するリセット対象検索手段５０３と、検索された既設定項目キーを選択可能にリセット画面に一覧表示することによって、ユーザから既設定項目の選択を受け付けるリセット受付手段５０４と、選択された既設定項目に設定された条件を初期条件に変更するリセット手段５０５とを備えることを特徴とする複合機１００を提供する。【選択図】図５
2011113376.tif 000002
【特許請求の範囲】
【請求項１】
設定画面に選択可能に一覧表示された複数の設定項目キーのうち、一の設定項目キーの選択をユーザから受け付けると、当該設定項目に割り当てられた設定条件画面を表示することによって、設定項目の条件設定を受け付ける画像形成装置において、
前記設定条件画面に表示される、初期条件に変更するためのキーの選択を受け付けると、当該キーの選択を受け付けた設定条件画面に対応する設定項目以外の設定項目であって、既に初期条件から所定の条件に設定された設定項目である既設定項目を検索するリセット対象検索手段と、
検索された既設定項目キーを選択可能に一画面に一覧表示することによって、ユーザから既設定項目の選択を受け付けるリセット受付手段と、
選択された既設定項目に設定された条件を初期条件に変更するリセット手段と、
を備えることを特徴とする画像形成装置。
【請求項２】
一の設定項目と、他の設定項目と、一の設定項目が初期条件から設定条件に設定された状態において他の設定項目の設定条件を初期条件に変更することが可能か否かを示す情報とを関連付けて記憶するテーブルと、
前記リセット対象検索手段により検索された既設定項目と、前記キーの選択を受け付けた設定条件画面に対応する設定項目と、前記テーブルとに基づいて、当該テーブルの一の設定項目に設定条件画面に対応する設定画面を対応付けた際に、既設定項目の設定条件を初期条件に変更可能か否かを判定するリセット可能判定手段とを更に備え、
前記リセット受付手段は、前記リセット可能判定手段が変更可能と判定した既設定項目キーを選択可能に一画面に一覧表示することを特徴とする請求項１に記載の画像形成装置。
【発明の詳細な説明】
【技術分野】
【０００１】
本発明は、画像形成装置に関し、詳しくは、所定の設定項目について新たに条件を設定することが可能となるとともに、設定項目毎の設定条件画面に表示を切り換えることなく、既に設定された設定項目の設定条件を容易に初期条件に戻すことが可能な画像形成装置に関する。
【背景技術】
【０００２】
近年、複写機等の画像形成装置の多機能化に伴い、全ての機能に関する条件を一つの画面に収めることが出来なくなりつつある。そのため、一の機能に対応して一の設定項目を割り当てた、複数の設定項目キーを一覧表示する設定画面を用意し、所定の設定項目キーが選択されると、当該設定項目に割り当てられた設定条件画面に遷移し、設定項目に関する詳細な条件を設定（入力）可能とする画像形成装置が登場してきている。これにより、画像形成装置に対する機能数が増大しても、ユーザが機能毎に条件を入力することが出来るようになる。
【０００３】
又、上述した設定画面には、設定項目の近傍に、当該設定項目に対して設定された設定条件（設定値等）が表示されるよう構成されている。そのため、ユーザは、当該設定画面を確認することによって現時点で既に設定された条件を設定項目毎に確認することが可能となり、ユーザに対する利便性を更に向上させている。
【０００４】
ところで、ユーザが前記設定画面で設定項目毎の設定条件を一覧した際に、一部の設定条件に対して修正を加えたくなる場合がある。このような場合は、ユーザが、修正を加えたい設定条件に対応付けられた設定項目キーを選択して、設定画面から当該設定項目についての設定条件画面に遷移させて、当該設定項目の条件を修正したり変更したりすることになる。
【０００５】
しかしながら、上述した構成のユーザインターフェースでは、ユーザの修正希望の設定項目キーの選択によって設定画面から設定条件画面に遷移するため、ユーザは、それまで一覧表示されていた設定項目群の設定条件や情報を参照することができない状態で、先ほど選択した設定項目の設定条件を修正しなければならないという問題があった。又、選択した設定項目以外の設定項目（他の設定項目）の設定条件を修正したい場合や他の設定項目の設定条件を再度確認したい場合は、他の設定項目の設定内容が視認できる設定条件画面に遷移するか、又は設定画面を呼び出す必要がある。この場合、ユーザは複数回に渡る設定項目キー又は所定のボタン等の選択（押下）をしなければならず、ユーザに対するキーの操作性が煩雑となるという問題があった。
【０００６】
このような問題を解決する技術として、特開２００７−２７９１３１号公報（特許文献１）には、表示装置を備えた画像形成装置であって、表示装置に表示されるパートごとの設定条件画面（パラメータ設定画面）を用いてパートごとの各条件（パラメータ）の設定を受け付け、パラメータ記憶部に登録するパラメータ設定部と、複数の設定条件画面で設定された設定条件群を一覧表示する設定画面（確認画面）を生成し表示装置に表示する確認画面生成部と、設定画面上でユーザが選択した設定条件についての設定変更画面を生成し、設定画面に示された各設定条件の値（設定値）を隠さないようにその設定変更画面を設定画面と共に表示装置に表示する設定変更画面生成部と、設定変更画面を用いて設定条件の値が変更された場合に、その設定条件の変更された値をパラメータ記憶部に登録するパラメータ変更部とを備える画像形成装置が開示されている。当該構成により、ユーザは、所望の設定条件を指で触れて選択することで、その設定条件の設定値を変更でき、更に、このときに、設定画面の機能名や設定値も見ることができるので、他の設定条件の様子を見ながら変更すべき値を決定することが出来るとしている。
【０００７】
又、特開平５−２０４５１７号公報（特許文献２）には、任意の画像形成条件を設定する複数の設定手段からの入力による設定条件記憶手段内への画像形成条件設定後に、取り消し手段の入力指示により設定前の画像形成条件を記憶する取り消し用記憶手段の記憶内容を前記設定条件記憶手段に呼び戻し、当該設定条件記憶手段を前記設定手段からの入力前の状態に設定し直す画像形成条件設定方法が開示されている。当該構成により、画像形成条件設定時に設定を間違えてしまったり、或いは、誤って設定手段に触れてしまい、画像形成条件を変更してしまった場合等に、取り消し手段を操作するのみで、画像形成条件変更前の状態を容易に呼び出すことができ、画像形成条件の訂正が極めて容易となり、その訂正時の操作性ひいては画像形成条件設定時の操作性が向上されるとしている。
【先行技術文献】
【特許文献】
【０００８】
【特許文献１】特開２００７−２７９１３１号公報
【特許文献２】特開平５−２０４５１７号公報
【発明の概要】
【発明が解決しようとする課題】
【０００９】
しかしながら、特許文献１に記載の技術では、ユーザは、既に設定した条件を見ながら更に修正を加えることが出来るものの、その修正時には、設定項目毎に個別具体的に修正を希望する条件を設定（入力）する必要がある。そのため、ユーザが、所定数の設定項目に対して条件を設定した後に、自己の条件設定の誤りに気付いて設定条件を初期条件に戻したい場合、各設定項目毎に設定条件を初期条件に訂正する必要があり、ユーザに対するキーの操作性が煩雑となるという問題がある。
【００１０】
一方、画像形成装置の表示装置（操作部）には、全ての設定項目に対して初期条件に戻すクリアキー（オールクリアキー）が予め設けられているものの、一部の設定条件を初期条件に変更したい場合に、ユーザが当該クリアキーを選択すると、正しく設定された設定条件についても初期条件に戻り、返ってキーの操作性が煩雑となるという問題がある。
【００１１】
又、特許文献２に記載の技術では、画像形成条件を取り消した場合、従前の画像形成条件に設定値が戻るものの、ユーザが次々と画像形成条件を入力した後に、最初の画像形成条件（初期条件）に戻したい場合では、適切に初期条件に戻らないという問題がある。
【００１２】
又、ユーザが、自己の設定した設定条件が間違っていると気付く場合は、所定の設定条件画面で条件を設定している最中であることが多いという実情がある。当該実情において、現時点で表示されている所定の設定項目の設定条件画面については、自己の希望する条件を設定するとともに、自己が条件を既に設定した設定項目については、初期条件に戻したいと、ユーザが希望することが多い。このような場合、ユーザが関心を示す設定項目は、未だに初期条件が設定されている設定項目ではなく、自己が既に条件を設定した設定項目である。そのような場合にまで、例えば、上述したクリアキーの選択によって、全ての設定項目の設定条件を初期条件に変更（リセット）し、最初から設定項目毎に条件を設定し直すとすると、設定条件が誤りであると気が付いた設定条件画面において設定項目に条件設定した操作が無駄になり、ユーザによるキーの操作数が増えて、返ってキーの操作性が煩雑となるという問題がある。
【００１３】
そこで、本発明は、前記問題を解決するためになされたものであり、所定の設定項目について新たに条件を設定することが可能となるとともに、設定項目毎の設定条件画面に表示を切り換えることなく、既に設定された設定項目の設定条件を容易に初期条件に戻すことが可能な画像形成装置を提供することを目的とする。
【課題を解決するための手段】
【００１４】
上述した課題を解決し、目的を達成するために、本発明に係る画像形成装置は、設定画面に選択可能に一覧表示された複数の設定項目キーのうち、一の設定項目キーの選択をユーザから受け付けると、当該設定項目に割り当てられた設定条件画面を表示することによって、当該設定項目の条件設定を受け付ける画像形成装置を前提とする。
【００１５】
前記設定条件画面は、設定項目に対応して予め用意される。
【００１６】
当該画像形成装置において、前記設定条件画面に表示される、初期条件に変更するためキーの選択を受け付けると、当該キーの選択を受け付けた設定条件画面に対応する設定項目以外の設定項目であって、既に初期条件から所定の条件に設定された設定項目である既設定項目を検索するリセット対象検索手段と、検索された既設定項目キーを選択可能に一画面に一覧表示することによって、ユーザから既設定項目の選択を受け付けるリセット受付手段と、選択された既設定項目に設定された条件を初期条件に変更するリセット手段とを備える。
【００１７】
当該構成により、ユーザが一画面に一覧表示された既設定項目キーを選択することによって、自己が既に条件設定した設定項目に限定して初期条件に戻すことが可能となるため、効率よく初期条件に戻すことが可能となる。又、既設定項目の設定条件を初期条件に戻す際に、既設定項目毎に割り当てられた設定条件画面に表示を切り換える必要が無くなるため、ユーザによるキーの操作数を削減することが可能となる。そして、条件設定した設定項目が複数に渡る場合であっても、一画面で一覧表示された既設定項目を確認しながら初期条件へ戻すことが可能となり、ユーザへの利便性を向上させることが可能となる。更に、ユーザが任意に選択した既設定項目の設定条件のみを初期条件に戻すため、ユーザが初期条件に戻している最中で更に他の条件に修正したい場合等であっても、表示された既設定項目の一部について初期条件に戻すことが可能であるから、ユーザの要求に対し、ある程度、柔軟に対応することが可能となる。
【００１８】
更に、設定条件画面に対応する設定項目以外の設定項目が、初期条件へのリセット対象の設定項目となるから、所定の設定条件画面で条件の設定中に、ユーザが今までの設定条件が誤っていることに気が付いた場合であっても、全ての設定項目を初期条件に戻す必要なく、当該設定条件画面に対応する設定項目については、ユーザは自己の希望する設定条件を選択することが可能となる。そのため、設定条件画面で新たに設定した条件を活かしつつ、既設定項目に対する初期条件への変更を実行することが可能となる。
【００１９】
又、当該画像形成装置に、一の設定項目と、他の設定項目と、一の設定項目が初期条件から設定条件に設定された状態において他の設定項目の設定条件を初期条件に変更することが可能か否かを示す情報とを関連付けて記憶するテーブルを備える。そして、当該画像形成装置に、前記リセット対象検索手段により検索された既設定項目と、初期条件に変更するためキーの選択を受け付けた設定条件画面に対応する設定項目と、前記テーブルとに基づいて、当該テーブルの一の設定項目に設定条件画面に対応する設定画面を対応付けた際に、既設定項目の設定条件を初期条件に変更可能か否かを判定するリセット可能判定手段を備える。更に、前記リセット受付手段は、前記リセット可能判定手段が変更可能と判定した既設定項目キーを選択可能に一画面に一覧表示するよう構成することが出来る。
【００２０】
当該構成により、複数の設定項目の条件が同時に設定された状態において、設定条件画面で条件設定した設定項目との関係で、既設定項目に設定された設定条件を初期条件に変更することが出来ない場合が発生したとしても、リセット画面には、初期条件に変更可能な既設定項目キーのみが選択可能に表示されることとなるから、禁則関係となる既設定項目キーの選択をユーザから受け付けないようにすることが可能となり、設定項目同士の禁則関係の発生を未然に防止し、ユーザに対するキーの操作性を向上させることが可能となる。
【発明の効果】
【００２１】
本発明の画像形成装置によれば、設定条件画面で操作をしている最中に、ユーザが自己の設定した条件が誤っていることを認識した場合に、当該設定条件画面の設定項目以外の設定項目で、既に自己が条件を設定した既設定項目キーを選択することによって、当該既設定項目の設定条件を初期条件に戻すことが可能となるため、設定項目毎の設定条件画面に表示を切り換える必要がなく、既に設定された設定項目の設定条件を容易に初期条件に戻すことが可能となり、ユーザへの利便性を向上させることが可能となる。
【図面の簡単な説明】
【００２２】
【図１】本発明に係る複合機の内部の全体構成を示す概念図である。
【図２】本発明に係る画像読取部の拡大図である。
【図３】本発明に係る操作部の全体構成を示す概念図である。
【図４】本発明に係る複合機の制御系ハードウェアの構成を示す図である。
【図５】本発明の実施形態における複合機の機能ブロック図である。
【図６】本発明の実施形態の実行手順を示すためのフローチャートである。
【図７】本発明の実施形態のタッチパネル上に表示された画面の一例を示す第一の図である。
【図８】本発明の実施形態に係る項目条件テーブルの一例を示す図である。
【図９】本発明の実施形態のタッチパネル上に表示された画面の一例を示す第二の図である。
【図１０】本発明の実施形態のタッチパネル上に表示された画面の一例を示す第三の図である。
【発明を実施するための形態】
【００２３】
以下に、添付図面を参照して、本発明の数値入力装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベット「Ｓ」はステップを意味する。
【００２４】
＜画像形成装置＞
以下に、本発明に係る数値入力装置を備えた画像形成装置（例えば、複合機）について説明する。前記画像形成装置は、例えばプリンタやスキャナ単体、あるいはプリンタ、コピー、スキャナ、ファックス等を備えた複合機等が該当する。
【００２５】
図１は、本発明に係る複合機１００の内部の全体構成を示す概念図である。ただし、本発明に直接には関係しない各部の詳細は省略している。尚、一例として複合機１００を利用して原稿のコピー機能を提供する際の複合機１００の動作を簡単に説明する。
【００２６】
ユーザが複合機１００を利用して例えば原稿Ｐの印刷を行う場合、原稿Ｐを図１に示す原稿台１０１、或いは載置台１０２に配置し、原稿台１０１近傍に供えられた操作部１０３に対して印刷の指示を行う。前記操作部１０３は、ユーザの操作により数値を入力する数値入力装置を兼ね備えており、ユーザは数値入力装置を用いて、例えば、印刷枚数、印刷倍率等の数値を複合機１００に入力する。前記操作部１０３が当該入力値とともに印刷の指示を受け付けると、以下に示す各部（駆動部）が動作することで、印刷が行われる。
【００２７】
即ち、図１に示すように、本実施の形態の複合機１００は、本体１０４と、本体１０４の上方に取り付けられたプラテンカバー１０５を備える。本体１０４の上面は原稿台１０１が設けられており、原稿台１０１は、プラテンカバー１０５によって開閉されるようになっている。プラテンカバー１０５は、自動原稿給紙装置１０６と載置台１０２と排紙台１０７が設けられている。
【００２８】
自動原稿給紙装置１０６は、プラテンカバー１０５の内部に形成された原稿搬送路１０８と、プラテンカバー１０５の内部に備えられたピックアップローラ１０９や搬送ローラ１１０Ａ、１１０Ｂ等で構成される。原稿搬送路１０８は、載置台１０２から、本体１０４に設けられた画像読取部１１１にて読み取りが行なわれる読取位置Ｘを経由して、排紙台１０７に通じる原稿の搬送路である。
【００２９】
自動原稿給紙装置１０６は、載置台１０２に載置された複数の原稿から１枚ずつ原稿をピックアップローラ１０９で搬送路内１０８に引き出し、搬送ローラ等によって引き出した原稿を、読取位置Ｘを通過させて、搬送ローラ１１０Ｂにより排紙台１０７に排紙する。読取位置Ｘを通過する時に原稿は画像読取部１１１にて読み取られる。
【００３０】
上記画像読取部１１１は、原稿台１０１の下方に設けられており、図２にその詳細が示されている。画像読取部１１１は、原稿台１０２を照射する走査方向に長い光源１１２と、原稿台からの光を選択的に通過させるスリット１１３と、原稿台からの光を導くミラー１１４とを備える第一の移動キャリッジ１１５や、第一の移動キャリッジ１１５からの反射光を再度反射するミラー１１６Ａ、１１６Ｂを備える第二の移動キャリッジ１１７、更にミラーで導かれた光を光学的に補正するレンズ群１１８、当該レンズ群１１８より補正された光を受光する撮像素子１１９、撮像素子１１９にて受光した光を電気信号に変換し、必要に応じて補正処理・画質処理・圧縮処理などを行う画像データ生成部１２０とで構成されている。
【００３１】
自動原稿給紙装置１０６上の原稿を読み取る場合には、光源１１２は、読取位置Ｘを照射できる位置に移動して発光する。光源１１２からの光は、原稿台１０１を透過して読取位置Ｘを通過する原稿にて反射し、スリット１１３、ミラー１１４、１１６Ａ、１１６Ｂ、レンズ群１１８によって撮像素子１１９に導かれる。撮像素子１１９は、受光した光を電気信号に変換して画像データ生成部１２０に送信する。画像データ生成部１２０には、上記撮像素子１１９にて受光された光がＲ（レッド）、Ｇ（グリーン）、Ｂ（ブルー）のアナログ電気信号として入力され、ここでアナログ−デジタル変換され、即ちデジタル化される。さらに、画像データ生成部１２０では、順次変換されたデジタル信号を単位データとし、これら単位データを補正処理、画質処理、圧縮処理等することで複数の単位データからなる画像データを生成する。
【００３２】
又、画像読取部１１１は、自動原稿給紙装置１０６で搬送される原稿だけでなく、原稿台１０１に載置された原稿も読み取ることが可能となっている。原稿台１０１に載置された原稿を読み取る場合は、第一のキャリッジ１１４は、光源１１２を発光しながら副走査方向に移動し、光源１１２から撮像素子１１９までの光路長を一定にするために、第二の移動キャリッジ１１７は第一の移動キャリッジ１１５の１／２の速度で撮像素子１１９方向に移動する。
【００３３】
撮像素子１１９は、自動原稿給紙装置１０６に搬送された原稿のときと同様に、ミラー１１４、１１６Ａ、１１６Ｂに導かれた光に基づいて原稿台１０１に載置された原稿からの光を電気信号に変換し、これに基づいて画像データ生成部１２０が画像データを生成し、記憶部１２０Ｂに記憶する。
【００３４】
本体１０４の画像読取部１１１の下方には、画像データを印刷する画像形成部１２１を備えている。画像形成部１２１が印刷できる画像データは、上記のように画像データ生成部１２０にて生成されたものや、その他画像形成装置１００とＬＡＮ等のネットワークに接続されたパーソナルコンピューター等の端末から、ネットワークインターフェイスを介して受信したものである。
【００３５】
画像形成部１２１が行う印刷方式には、電子写真方式が用いられている。即ち、感光ドラム１２２を帯電器１２３で一様に帯電させ、その後レーザ１２４で感光ドラム１２２を照射して感光ドラム１２２に潜像を形成し、現像器１２５で潜像にトナーを付着させて可視像を形成し、転写ローラにて可視像を転写媒体に転写する方式である。
【００３６】
尚、フルカラー画像に対応した画像形成装置では、上記現像器（ロータリー現像器）１２５が、図１の紙面に対して垂直方向に構成される回転軸を中心として周方向に回転させられ、対応する色のトナーが格納された現像ユニットが感光ドラム１２２の対向位置に配置される。この状態で、感光ドラム１２２上の潜像が、現像器１２５が格納するトナーにより現像され、中間転写ベルト１２６Ａに転写される。なお、現像器１２５は、イエロー（Ｙ）、シアン(Ｃ)、マゼンタ(Ｍ)、ブラック(Ｋ)の各トナーをそれぞれ格納する４つの現像ユニット１２５（Ｙ）、(Ｃ)、(Ｍ)、(Ｋ)を有している。上記中間転写ベルト１２６Ａへの転写を上記各色毎に繰り返すことにより、当該中間転写ベルト１２６Ａ上にフルカラー画像が形成される。
【００３７】
可視像が印刷される転写媒体、即ち用紙は、給紙カセット１３２、１３３、１３４などの給紙トレイに載置されたものである。
【００３８】
画像形成部１２１が印刷を行う際には、何れか１つの給紙トレイから転写媒体１枚を、ピックアップローラ１３５を用いて引き出し、引き出した転写媒体を搬送ローラ１３６やレジストローラ１３７で中間転写ベルト１２６Ａと転写ローラ１２６Ｂの間に送り込む。
画像形成部１２１は、中間転写ベルト１２６Ａと転写ローラ１２６Ｂの間に送り込んだ転写媒体に、上記中間転写ベルト１２６Ａ上の可視像を転写すると、可視像を定着させるために、搬送ベルト１２７で定着部１２８（定着装置）に転写媒体を送る。定着部１２８は、ヒータが内蔵された加熱ローラ１２９と、所定の圧力で加熱ローラ１２９に押し当てられた加圧ローラ１３０とで構成されている。加熱ローラ１２９と加圧ローラ１３０の間を転写媒体が通過すると、熱と転写媒体への押圧力によって可視像が転写媒体に定着する。定着が行われた転写媒体は排紙トレイ１３１に排紙される。
【００３９】
上記手順により、複合機１００はコピー機能の処理をユーザに提供する。尚、原稿Ｐに光源１１２を照射してからその原稿Ｐの画像を画像データとして読み取りを実行する手段を画像読取手段、画像データに基づいて、シートに画像形成処理を施す手段を画像形成手段とする（後述する）。
【００４０】
図３は、上記複合機１００に備えられた操作部１０３の外観の一例を示す図である。ユーザは、上記操作部１０３を用いて、上述のような画像形成についての設定条件等を入力したり、入力された設定条件を確認したりする。上記設定条件が入力される場合、上記操作部１０３に備えられたタッチパネル３０１、タッチペン３０２、操作キー３０３が用いられる。
【００４１】
上記タッチパネル３０１には、設定条件を入力する機能と当該設定条件を表示する機能が兼ね備えられている。すなわち、タッチパネル３０１上に表示された設定画面内の設定項目キーを選択（押下）することによって、当該設定項目キーに関連付けられた設定項目条件キーが表示される。ユーザが、設定項目条件キーを選択すると、当該設定項目条件キーに関連付けられた条件が設定される。又、設定された設定条件に連動して設定項目キーの背景色が白色から灰色へ変更されるため、設定項目キーの背景色によって、設定項目キーが初期条件から設定条件へ変更されたことを知ることが可能となる。
【００４２】
タッチパネル３０１の近傍には、タッチペン３０２が備えられており、ユーザがそのタッチペン３０２の先をタッチパネル３０１に接触させると、タッチパネル下に設けられたセンサーが接触先を検知する。タッチペンの先は、ほぼ点に近いため、上記センサーは、例えば、接触先をドット単位（最小単位）で検知することとなる。従って、例えばタッチパネル３０１内の位置を指で指定する場合と比較すると、タッチペンで位置指定する方がより細かい位置を正確に指定することができる。
【００４３】
更に、タッチパネル３０１近傍には、所定数の操作キー３０３が設けられ、例えば、テンキー３０６、スタートキー３０７、クリアキー３０８、ストップキー３０９、リセットキー３１０、電源キー３１１が備えられている。なお、上記テンキー３０６は、部数や倍率を設定する際に具体的な数字の入力に用いられる。
【００４４】
次に、図４を用いて、複合機１００の制御系ハードウェアの構成を説明する。図４は、複合機における制御系ハードウェアの概略構成図である。ただし、本発明に直接には関係しない各部の詳細は省略している。
【００４５】
複合機１００の制御回路は、ＣＰＵ（Ｃｅｎｔｒａｌ  Ｐｒｏｃｅｓｓｉｎｇ  Ｕｎｉｔ）４０１、ＲＯＭ（Ｒｅａｄ  Ｏｎｌｙ  Ｍｅｍｏｒｙ）４０２、ＲＡＭ（Ｒａｎｄｏｍ  Ａｃｃｅｓｓ  Ｍｅｍｏｒｙ）４０３、ＨＤＤ（Ｈａｒｄ  Ｄｉｓｋ  Ｄｒｉｖｅ）４０４、各駆動部に対応するドライバ４０５を内部バス４０６によって接続している。上記ＣＰＵ４０１は、例えば、ＲＡＭ４０３を作業領域として利用し、上記ＲＯＭ４０２、ＨＤＤ４０４等に記憶されているプログラムを実行し、当該実行結果に基づいて上記ドライバ４０５と図示しない操作部１０３からのデータや指示を授受し、上記図１に示した各駆動部の動作を制御する。また、上記駆動部以外の後述する各手段（図５に示す）についても、上記ＣＰＵ４０１がプログラムを実行することで当該各手段を実現する。上記ＲＯＭ４０２、ＨＤＤ４０４等には、以下に説明する各手段を実現するプログラムやデータが記憶されている。
【００４６】
＜本発明の実施形態＞
次に図５乃至図６を参照しながら、本発明の複合機１００が、所定の設定項目について新たに条件を設定するともに、設定項目毎の設定条件画面に表示を切り換えることなく、既に設定された設定項目の設定条件を初期条件に戻す手順について説明する。図５は、本発明の複合機１００の機能ブロック図である。図６は、本発明の実行手順を示すためのフローチャートである。
【００４７】
尚、以下では、複合機１００の表示受付手段５０１が、所定数の設定項目に対して所定の条件の設定（選択）を既に受け付けた後の状態（ユーザが、タッチパネル３０１上に表示される設定画面キーを操作して、所定数の設定項目に対して所定の条件を既に設定した後の状態）とする。例えば、本実施形態では、ユーザの条件設定により、複合機１００の表示受付手段５０１が、設定項目「モノクロ／カラー」に対して条件「カラー」を、設定項目「小冊子」に対して条件「ＯＮ」をユーザから既に受け付けた後の状態とする。
【００４８】
前記表示受付手段５０１は、更に、スタートキー３０５の選択（押下）を受け付けるまで、設定画面をタッチパネル３０１上に表示し、設定項目毎に設けられた設定項目キーの選択（押下）をユーザから受け付ける。
【００４９】
前記設定画面７００には、図７Ａに示すように、画像形成可能な状態を示すメッセージ「コピーできます」７０１と、画像形成に関する設定項目キー７０２（例えば、「モノクロ／カラー」キー７０２ａ、「片面／両面」キー７０２ｂ、「小冊子」キー７０２ｃ等）と、現時点で既に設定項目に設定されている条件７０３（初期条件又はユーザにより設定された設定条件）とが表示される。ここで、表示受付手段５０１は、初期条件が設定されている設定項目キー（例えば、「片面／両面」キー７０２ｂ等）には、当該キーの背景色を白色で表示し、既にユーザにより所定の条件が設定されている設定項目キー（例えば、「モノクロ／カラー」キー７０２ａ）には、当該キーの背景色を灰色で表示する。又、表示受付手段５０１は、設定項目キー７０２の上部近傍に前記条件７０３を設定項目毎に表示する。これにより、ユーザは、設定画面に表示される複数の設定項目のうち、自己が既に条件を設定した設定項目を一見して判断することが可能となる。
【００５０】
ユーザが、例えば、設定画面に表示される複数の設定項目キー７０２のうち、「片面／両面」キー７０２ｂを選択すると、表示受付手段５０１は「片面／両面」キー７０２ｂの選択を受け付け、項目条件記憶手段５０２に記憶されている項目条件テーブルから「片面／両面」に対応する設定項目条件情報を読み出す。
【００５１】
項目条件テーブル８００には、図８に示すように、設定項目キーに対応する設定項目情報８０１と、設定項目情報８０１に対応してユーザに設定（入力）される条件を示す設定項目条件情報８０２と、設定項目条件情報８０２に対応して初期条件として設定されているか否かを示す初期条件情報８０３と、設定項目条件情報８０３に対応してユーザの選択により設定条件として設定されているか否かを示す設定条件情報８０４とが関連付けられて記憶されている。
【００５２】
前記設定項目情報８０１には、例えば、「片面／両面」、「モノクロ／カラー」、「小冊子」等が関連付けて記憶される。又、前記設定項目条件情報８０２には、例えば、設定項目情報８０１が「片面／両面」であれば、「片面／両面」に対応して設定される条件「片面」、「両面」が関連付けて記憶される。
【００５３】
又、前記初期条件情報８０３には、例えば、設定項目条件情報８０２に対して初期条件として設定されていることを示す「○」８０３ａ（「１」に相当する情報）と、初期条件として設定されていないことを示す「×」８０３ｂ（「０」に相当する情報）とが関連付けて記憶される。尚、前記初期条件情報８０３の「○」８０３ａは、製造者、管理者側が任意に決定した条件（例えば、あらゆるユーザが最も使用する可能性が高い条件、複写のみ即時に実行可能とする条件等）に基づいて関連付けて記憶される。又、複数の設定項目条件情報８０２があっても、一の設定項目条件情報８０２に対してのみ関連付けて記憶される。例えば、設定項目条件情報８０２が「片面」と「両面」とであれば、「片面」には初期条件を示す「○」が関連付けて記憶され、「両面」には「×」が関連付けて記憶される。
【００５４】
又、前記設定条件情報８０４には、例えば、ユーザの選択により設定条件として設定されていることを示す「○」８０４ａと、設定条件として設定されていないことを示す「×」８０４ｂとが関連付けて記憶される。尚、未だに設定項目に対して所定の条件がユーザにより設定されていない場合、当該設定項目情報８０１の設定項目条件情報８０２に対応する全ての設定条件情報８０４には、「×」８０４ｂが関連付けて記憶される。例えば、ユーザから未だに所定の条件が選択されていない「片面／両面」の「片面」と「両面」とに対応する全ての設定条件情報８０４には「×」８０４ｂが関連付けて記憶される。
【００５５】
さて、項目条件テーブル８００を参照した表示受付手段５０１は、設定項目情報「片面／両面」８０１ａに対応する設定項目条件情報８０２の「片面」８０２ａと「両面」８０２ｂとを読み出す。
【００５６】
更に、表示受付手段５０１は、項目条件テーブル８００から「片面」８０２ａと「両面」８０２ｂとに対応する初期条件情報８０３と、設定条件情報８０４とを参照することによって、「片面／両面」８０１ａに設定されている条件を判定する。
【００５７】
具体的には、表示受付手段５０１が、「片面」８０２ａと「両面」８０２ｂとに対応する初期条件情報８０３を参照すると、「片面」８０２ａには「○」８０３ａが関連付けて記憶されているとともに「両面」８０２ｂには「×」８０３ｂが関連付けて記憶されているため、表示受付手段５０１は、「片面」８０２ａを初期条件として判定する。
【００５８】
次に、表示受付手段５０１が、「片面」８０２ａと「両面」８０２ｂとに対応する設定条件情報８０４を参照すると、「片面」８０２ａと「両面」８０２ｂとにはともに「×」８０４ｂが関連付けて記憶されているため、表示受付手段５０１は、「片面」８０２ａと「両面」８０２ｂとは未だにユーザの選択により設定されていない条件であると判定する。
【００５９】
このようにして、表示受付手段５０１は、現時点において「片面／両面」８０１ａに設定されている条件が初期条件「片面」８０２ａであると判定する。
【００６０】
そして、表示受付手段５０１は、当該判定結果に従って「片面／両面」８０１ａに関する設定条件画面をタッチパネル３０１上に表示する。
【００６１】
「片面／両面」８０１ａに関する設定条件画面７０４は、図７Ｂに示すように、ユーザに片面印刷か両面印刷かの選択を促すメッセージ「片面印刷か両面印刷かを選択してください」７０５と、片面印刷の条件を設定するための「片面」キー７０６と、両面印刷の条件を設定するための「両面」キー７０７と、既に設定された設定条件を初期条件に変更するための「Ｃｈａｎｇｅ」キー７０８と、条件の選択を決定するための「ＯＫ」キー７０９と、設定条件画面から設定画面に戻るための「Ｃａｎｃｅｌ」キー７１０とが表示される。又、表示受付手段５０１は、前記判定結果に従って「片面／両面」８０１ａの初期条件「片面」８０２ａに対応する「片面」キー７０６の背景色を灰色で表示するとともに、「両面」キー７０７の背景色を白色で表示する。
【００６２】
ここで、ユーザは、今まで設定項目毎に設定した条件が誤っていること（今までの設定条件が自己の意図に合わないこと）に気付いて、「片面／両面」８０１ａに関する条件を自己の意図する条件（例えば、「両面」）に設定するとともに、他の設定項目（例えば、「モノクロ／カラー」、「小冊子」）の設定条件を初期条件に戻したい（変更したい）と考えたとする。
【００６３】
その場合、ユーザが「片面／両面」８０１ａに関する設定条件画面７０４の「両面」キー７０７を選択すると、表示受付手段５０１が当該「両面」キー７０７の背景色を白色から灰色に変更するとともに「片面」キー７０６の背景色を灰色から白色に変更する。
【００６４】
次に、ユーザが「Ｃｈａｎｇｅ」キー７０８を選択すると、表示受付手段５０１が、「Ｃｈａｎｇｅ」キー７０８の選択を受け付けた時点において選択された「両面」８０２ｂを設定条件として受け付け、項目条件テーブル８００を参照して、「両面」８０２ｂに対応する設定条件情報８０４の「×」８０４ｂを「○」８０４ａに書き換える。これによって、表示受付手段５０１は、「両面」８０２ｂを設定条件として設定する。
【００６５】
更に、表示受付手段５０１は、「Ｃｈａｎｇｅ」キー７０８が選択された旨と、当該選択を受け付けた設定条件画面７０４に対応する設定項目情報「片面／両面」８０１ａとをリセット対象検索手段５０３に通知する（図６：Ｓ１０１ＹＥＳ）。当該通知を受信したリセット対象検索手段５０３は、「片面／両面」８０１ａの設定項目以外の設定項目で、既に初期条件から所定の条件に設定された設定項目である既設定項目を検索する（図６：Ｓ１０２）。
【００６６】
リセット対象検索手段５０３が既設定項目を検索する方法は、どのような方法でも構わないが、例えば、以下の方法によりなされる。
【００６７】
まず、リセット対象検索手段５０３は、設定項目テーブル８００を参照して、設定項目情報「片面／両面」８０１ａ以外の設定項目情報８０１ｂを検索対象として決定する。そして、リセット対象検索手段５０３は、決定した設定項目情報８０１ｂのうち、一の設定項目情報を選択し、選択した設定項目情報に対応する設定条件情報８０４を参照する。更に、リセット対象検索手段５０３は、参照した設定条件情報８０４のうち、いずれかに「○」８０４ａが関連付けられて記憶されている否かを判定する。
【００６８】
参照した設定条件情報８０４のうち、いずれかに「○」８０４ａが関連付けて記憶されている場合、リセット対象検索手段５０３が、当該設定条件情報８０４に対応する設定項目情報８０１ｃ（例えば、「モノクロ／カラー」）の設定項目は既設定項目であると判定し、判定した設定項目情報８０１ｃを既設定項目情報として取得する。
【００６９】
一方、参照した設定条件情報８０４のうち、いずれにも「○」８０４ａが関連付けて記憶されていない場合（例えば、「用紙サイズ」）、言い換えると、全ての設定条件情報８０４に「×」８０４ｂが関連付けて記憶されている場合、リセット対象検索手段５０３が、当該設定条件情報８０４に対応する設定項目情報の設定項目は（未だ）初期条件が設定されている設定項目（未設定項目）であると判定し、検索対象である設定項目情報を他の設定項目情報に換えて、換えた設定項目情報８０１ｂに対して前記判定処理を実行する。
【００７０】
このような判定処理、取得処理は、リセット対象検索手段５０３が、検索対象の設定項目情報８０１ｂ全てについて設定項目情報８０１ｂ毎に実行する。尚、本実施の形態の場合、前記既設定項目情報８０１ｃは「モノクロ／カラー」と「小冊子」とになる。
【００７１】
リセット対象検索手段５０３が、全ての設定項目情報８０１について判定処理、取得処理を完了すると、取得した既設定項目情報８０１ｃをリセット受付手段５０４に送信する。リセット受付手段５０４は、受信した既設定項目情報８０１ｃに基づいて、既設定項目キーが選択可能に一覧表示されたリセット画面をタッチパネル３０１上に表示する（図６：Ｓ１０３）。
【００７２】
リセット画面９００は、図９Ｃに示すように、ユーザに初期条件に変更したい設定項目キーの選択を促すメッセージ「設定条件を解除したい項目を選択してください」９０１と、既設定項目情報８０１ｃに対応する既設定項目キー９０２（例えば、「モノクロ／カラー」９０２ａ、「小冊子」９０２ｂ）と、設定画面に戻るための「ＯＫ」キー９０３とが少なくとも表示される。
【００７３】
又、リセット受付手段５０４は、前記リセット画面９００上に、先ほど条件「両面」８０２ｂが設定された設定項目である「片面／両面」キー９０４と、初期条件が設定されたままの設定項目（未設定項目）キー９０５（例えば、「用紙サイズ」、「保存形式」等）とを表示するとともに、既設定項目キー９０２、「片面／両面」キー９０４、未設定項目キー９０５の上部に、それぞれ設定されている条件９０６を表示する。これにより、ユーザは、既設定項目の設定条件とともに、先ほど条件設定した設定項目「片面／両面」の設定条件と未設定項目の初期条件とを確認することが可能となる。
【００７４】
更に、リセット受付手段５０４は、既設定項目キー９０２の背景色と「片面／両面」キー９０４の背景色とを灰色で表示するとともに、未設定項目キー９０４の背景色を白色で表示する。このように、既に条件設定された設定項目の表示形式と、未だに初期条件が設定された設定項目の表示形式とを異なるように表示することによって、ユーザは、既設定項目キー９０２、「片面／両面」キー９０３、未設定項目キー９０４を一目で識別することが可能となり、初期条件に戻したい既設定項目キー９０２を容易に認識することが可能となる。
【００７５】
さて、リセット画面９００を見ながら、ユーザが、例えば、既設定項目キー９０２である「モノクロ／カラー」キー９０２ａを選択すると、リセット受付手段５０４が、「モノクロ／カラー」キー９０２ａの選択を受け付け、設定項目情報「モノクロ／カラー」を初期条件に戻す指示をリセット手段５０５に通知する（図６：Ｓ１０４ＹＥＳ）。当該通知を受信したリセット手段５０５は、項目条件テーブル８００から「モノクロ／カラー」８０１ｄの設定項目条件情報８０２の「モノクロ」８０２ｃと「カラー」８０２ｄとに対応する設定条件情報８０４（「×」８０４ｂ、「○」８０４ａ）を参照し、参照した設定条件情報８０４のうち、「○」８０４ａを「×」８０４ｂに書き換える（図６：Ｓ１０５）。これによって、リセット手段５０５は、「モノクロ／カラー」８０１ｄの設定条件を初期条件に変更する。
【００７６】
前記変更が終了すると、リセット手段５０５は、「モノクロ／カラー」８０１ｄの設定条件を初期条件に戻した旨をリセット受付手段５０４に通知する。当該通知を受けたリセット受付手段５０４は、「モノクロ／カラー」キー９０２ａの背景色を灰色から白色に変更するとともに、「モノクロ／カラー」キー９０２ａの上部に表示されていた設定条件「カラー」を初期条件「モノクロ」に変更する（図６：Ｓ１０６）。これにより、ユーザは、「モノクロ／カラー」８０１ｄの設定条件が初期条件に戻ったことを認識することが可能となる。
【００７７】
上述したような処理は、リセット受付手段５０４が、リセット画面９００を表示している間、つまり、リセット画面９００の「ＯＫ」キー９０５がユーザにより選択されるまで、繰り返し実行される（図６：Ｓ１０７ＮＯ→Ｓ１０４）。
【００７８】
例えば、ユーザが、リセット画面９００に表示された既設定項目キー９０２である「小冊子」キー９０２ｂを更に選択すると、上記と同様に、リセット受付手段５０４が「小冊子」キー９０２ｂの選択を受け付け（図６：Ｓ１０４ＹＥＳ）、リセット手段５０５が「小冊子」の設定条件を初期条件に変更する（図６：Ｓ１０５）。次に、リセット受付手段５０４が「小冊子」キー９０２ｂの背景色を灰色から白色に変更し、「小冊子」キー９０２ｂの上部に表示されていた「ＯＮ」を「ＯＦＦ」に変更する（図６：Ｓ１０６）。これにより、ユーザは、設定項目毎に割り当てられた設定条件画面に表示を切り換える必要もなく、リセット画面９００の既設定項目キーを選択することによって既設定項目の設定条件を初期条件に簡単に戻すことが可能となる。そのため、ユーザによるキーの操作数を削減することが可能となる。
【００７９】
さて、ユーザが、リセット画面９００に表示された「ＯＫ」キー９０５を選択すると、リセット受付手段５０４が当該「ＯＫ」キー９０５の選択を受け付け、設定画面を再度表示する指示を表示受付手段５０１に通知する（図６：Ｓ１０７ＹＥＳ）。すると、当該通知を受けた表示受付手段５０１は、項目条件テーブル８００を参照して設定項目情報８０１を読み出すとともに、当該設定項目情報８０１に対応する設定項目条件情報８０２、初期条件情報８０３、設定条件情報８０４を参照することによって、設定項目毎に設定されている条件を判定し、当該判定結果に従って設定画面をタッチパネル３０１上に表示する図６：Ｓ１０８）。
【００８０】
この時点では、項目条件テーブル８００の「片面／両面」８０１ａに対応する「両面」８０２ｂには設定条件情報「○」８０４ａが関連付けて記憶されており、「片面」８０２ａと、他の設定項目情報８０１に対応する設定項目条件情報８０２には設定条件情報「×」８０４ｂが関連付けて記憶されている。そのため、表示受付手段５０１は、「片面／両面」８０１ａに設定されている条件が「両面」８０４ａであると判定するとともに、他の設定項目に設定されている条件が初期条件であると判定し、当該判定結果に従って設定画面をタッチパネル３０１上に表示する。
【００８１】
当該設定画面９０７には、図９Ｄに示すように、「片面／両面」キー９０８の背景色が灰色で表示されるとともに、当該「片面／両面」キー９０８の上部には、ユーザが先ほど条件設定した「両面」９０９が表示される。又、他の設定項目キー９１０の背景色が白色で表示され、当該他の設定項目キー９１０の上部には、それぞれ設定された初期条件９１１が表示される。これにより、ユーザは、設定項目「片面／両面」に対して先ほど設定した設定条件「両面」を活かしつつ、自己の希望する新たな条件の設定を即時に取り掛かることが可能となる。
【００８２】
さて、ユーザが、設定画面、設定条件画面を介して、自己の希望する条件を設定し、スタートキー３０５を押下すると、表示受付手段５０１が、設定項目毎に設定された設定条件と印刷の開始とを受け付け、画像読取手段５０６に原稿の画像の読取を開始させる。当該画像読取手段５０６は原稿台１０１に載置された原稿の画像の読取を開始する。
【００８３】
前記画像読取手段５０６が原稿の画像の読取を完了し、当該原稿の画像を画像記憶手段５０７に記憶すると、画像記憶手段５０７を監視していた画像形成手段５０８が、画像記憶手段５０７に記憶された原稿の画像と、設定条件とに基づいて画像形成を実行する。このようにして、ユーザが意図する画像形成処理がなされる。
【００８４】
このように、設定条件画面毎に表示される「Ｃｈａｎｇｅ」キー７０８の選択を受け付けると、当該「Ｃｈａｎｇｅ」キー７０８の選択を受け付けた設定条件画面７０４に対応する設定項目以外の設定項目であって、既に初期条件から所定の条件に設定された設定項目である既設定項目を検索するリセット対象検索手段５０３と、検索された既設定項目キー９０２を選択可能にリセット画面９００に一覧表示することによって、ユーザから既設定項目の選択を受け付けるリセット受付手段５０４と、選択された既設定項目に設定された条件を初期条件に変更するリセット手段５０５とを備える。
【００８５】
当該構成により、ユーザがリセット画面９００に一覧表示された既設定項目キー９０２を選択することによって、自己が既に条件設定した設定項目に限定して初期条件に戻すことが可能となるため、効率よく初期条件に戻すことが可能となる。又、既設定項目の設定条件を初期条件に戻す際に、既設定項目毎に割り当てられた設定条件画面に表示を切り換える必要が無くなるため、ユーザによるキーの操作数を削減することが可能となる。そして、条件設定した設定項目が複数に渡る場合であっても、リセット画面９００で一覧表示された既設定項目を確認しながら初期条件へ戻すことが可能となり、ユーザへの利便性を向上させることが可能となる。更に、ユーザが任意に選択した既設定項目の設定条件のみを初期条件に戻すため、ユーザが初期条件に戻している最中で更に他の条件に修正したい場合等であっても、表示された既設定項目の一部について初期条件に戻すことが可能であるから、ユーザの要求に対し、ある程度、柔軟に対応することが可能となる。
【００８６】
更に、設定条件画面に対応する設定項目以外の設定項目が、初期条件へのリセット対象の設定項目となるから、所定の設定条件画面で条件の設定中に、ユーザが今までの設定条件が誤っていることに気が付いた場合であっても、全ての設定項目を初期条件に戻す必要なく、当該設定条件画面に対応する設定項目については、ユーザは自己の希望する設定条件を選択することが可能となる。そのため、設定条件画面で新たに設定した条件を活かしつつ、既設定項目に対する初期条件への変更を実行することが可能となる。
【００８７】
尚、本発明の実施形態では、ユーザがリセット画面９００に表示された既設定項目キー９０２を全て選択し、当該選択を受けてリセット手段５０５が初期条件に戻す処理を実行したが、必ずしも既設定項目キー９０２が全て選択される必要はない。例えば、ユーザがリセット画面９００に表示された既設定項目キー９０２を全く選択することなく、「ＯＫ」キー９０５を選択した場合、当該「ＯＫ」キー９０５の選択をリセット受付手段が受け付け（図６：Ｓ１０４ＮＯ→Ｓ１０７ＹＥＳ）、表示受付手段５０１が設定画面を再表示しても構わない（図６：Ｓ１０８）。この場合は、もちろん、既設定項目の設定条件が初期条件に変更されていない状態の設定画面が表示されることになる。
【００８８】
又、本発明の実施形態では、ユーザが設定条件画面に表示された「Ｃｈａｎｇｅ」キー７０８を選択して、表示受付手段５０１が、「Ｃｈａｎｇｅ」キー７０８の選択を受け付けた時点において選択された「両面」８０２ｂを設定条件として受け付けるよう構成したが、必ずしも「Ｃｈａｎｇｅ」キー７０８が選択される必要はない。例えば、設定条件画面が表示されている場合において、ユーザが設定条件画面に表示された「ＯＫ」キー７０９を選択すると、当該「ＯＫ」キー７０９の選択を表示受付手段５０１が受け付け（図６：Ｓ１０１ＮＯ→Ｓ１０９ＹＥＳ）、項目条件テーブル８００を参照して、表示されていた設定条件画面の設定項目条件情報に対応する設定条件情報８０４の「×」８０４ｂを「○」８０４ａに書き換える（図６：Ｓ１１０）。そして、表示受付手段５０１は、条件設定後の設定画面をタッチパネル３０１上に表示し、設定項目毎に設けられた設定項目キーの選択（押下）をユーザから受け付ける（図６：Ｓ１０８）。又、例えば、設定条件画面が表示されている場合において、ユーザが設定条件画面に表示された「Ｃａｎｃｅｌ」キー７１０を選択すると、当該「Ｃａｎｃｅｌ」キー７１０の選択を表示受付手段５０１が受け付け（図６：Ｓ１０１ＮＯ→Ｓ１０９ＮＯ）、何の設定も実行することなく、設定画面をタッチパネル３０１上に表示し、設定項目毎に設けられた設定項目キーの選択（押下）をユーザから受け付ける（図６：Ｓ１０８）。尚、表示受付手段５０１が、「ＯＫ」キー７０９又は「Ｃａｎｃｅｌ」キー７１０の選択を受け付けた後の処理は、従来技術のルーチン処理と同様である。
【００８９】
又、本発明の実施形態では、ユーザが設定条件画面に表示された「Ｃｈａｎｇｅ」キー７０８を選択して、表示受付手段５０１が、「Ｃｈａｎｇｅ」キー７０８の選択を受け付けた時点において選択された「両面」８０２ｂを設定条件として受け付けるよう構成したが、表示受付手段５０１が必ずしも「両面」８０２ｂを設定条件として受け付ける必要はない。すなわち、表示受付手段５０１が、「Ｃｈａｎｇｅ」キー７０８の選択を受け付けた際に、設定条件画面において初期条件が設定されている場合であっても、表示受付手段５０１が、「Ｃｈａｎｇｅ」キー７０８が選択された旨と当該選択を受け付けた設定条件画面７０４に対応する設定項目情報「片面／両面」８０１ａとをリセット対象検索手段５０３に通知するよう構成すればよい。
【００９０】
又、本発明の実施形態では、リセット対象検索手段５０３が、項目条件テーブル８００の設定条件情報のうち、いずれかに「○」が関連付けられて記憶されている否かを判定することによって、既設定項目を検索するよう構成したが、他の構成でも構わない。例えば、リセット対象検索手段５０３が、項目条件テーブル８００の初期条件情報と設定条件情報とを相互に比較することによって、所定の設定項目に対して初期条件が設定されているか否か（既に所定の条件が設定されているか否か）を判定するよう構成しても構わない。
【００９１】
又、本発明の実施形態では、項目条件テーブル８００の設定条件情報には、ユーザの選択により設定条件として設定されていることを示す「○」と、設定条件として設定されていないことを示す「×」とを関連付けて記憶するよう構成したが、他の構成であっても構わない。例えば、前記項目条件テーブル８００の設定条件情報に、ユーザの選択により設定条件として設定された設定項目条件情報を関連付けて記憶しても構わない。例えば、「片面／両面」に対して設定項目条件情報である「両面」を設定条件情報として関連付けて記憶しても構わない。当該構成とすると、例えば、設定項目情報が、「印刷倍率」、「印刷濃度」等であって、当該設定項目情報に対応する設定項目条件情報が、ユーザの任意の入力設定によって様々な値となる場合であっても、入力された設定条件（設定値）をそのまま設定条件情報として関連付けて記憶すればよいことになり、様々な種類の設定項目情報に対応することが可能となる。尚、当該構成の場合、初期条件情報として、所定の初期値を関連付けて記憶しておき、リセット対象検索手段５０３が既設定項目を検索する場合、初期値と設定値とを相互に比較することによって、所定の設定項目に対して初期条件が設定されているか否か（既に所定の条件が設定されているか否か）を判定するよう構成すれば足りる。
【００９２】
又、本発明の実施形態では、表示受付手段５０１が、「片面／両面」８０１ａに関する設定条件画面７０４上に「Ｃｈａｎｇｅ」キー７０８を選択可能に表示するよう構成しているが、当該「片面／両面」８０１ａに関する設定条件画面７０４に限られず、所定の設定項目に対応する設定条件画面をタッチパネル３０１上に表示する場合、表示受付手段５０１は当該設定条件画面上に「Ｃｈａｎｇｅ」キー７０８を選択可能に表示し、ユーザから「Ｃｈａｎｇｅ」キー７０８の選択を受け付けるよう構成される。
【００９３】
又、本発明の実施形態では、リセット画面９００に表示された未設定項目キー９０５について特に説明していないが、未設定項目キー９０５についてはどのような態様であっても構わない。即ち、未設定項目キー９０５が、ユーザに対して未設定項目を知らせるために単に表示されるキーであっても、既設定項目キー９０５と同様に、選択可能にリセット画面９００に表示されるキーであっても構わない。
【００９４】
例えば、リセット画面９００に未設定項目キー９０５が選択可能に表示される場合で、ユーザが一の未設定項目キー９０５を選択した場合は、以下のような手順となる。
【００９５】
図９Ｃに示すリセット画面９００において、ユーザが、複数の未設定項目キー９０５のうち、「用紙サイズ」キーを選択すると、リセット受付手段５０４が当該「用紙サイズ」キーの選択を受け付け、当該「用紙サイズ」に対応する設定条件画面を表示する指示を表示受付手段５０１に通知する。当該通知を受けた表示受付手段５０１は、項目条件テーブルを参照することにより、「用紙サイズ」の設定項目条件情報を取得するとともに、当該「用紙サイズ」に設定されている条件を判定する。更に、表示受付手段５０１は、当該判定結果に従って「用紙サイズ」に対応する設定条件画面をタッチパネル３０１上に表示する。
【００９６】
「用紙サイズ」に対応する設定条件画面１０００には、図１０Ｅに示すように、ユーザに用紙サイズの選択を促すメッセージ「用紙サイズを選択してください」１００１と、用紙サイズを設定するための設定項目条件キー１００２（例えば、「Ａ３」キー、「Ａ４」キー等）と、前記「Ｃａｎｃｅｌ」キー１００３と、前記「ＯＫ」キー１００４と、前記「Ｃａｎｃｅｌ」キー１００５とが表示される。又、表示受付手段５０１は、前記判定結果に従って「用紙サイズ」の初期条件「Ａ４」に対応する「Ａ４」キー１００２ａの背景色を灰色で表示するとともに、他の設定項目条件キー１００２ｂ（例えば、「Ａ３」キー等）の背景色を白色で表示する。このような表示受付手段５０１による設定条件画面の表示は、上述したような処理であり、リセット受付手段５０４が未設定項目キーの選択を受け付けることによって、ルーチン処理に戻ることになる。つまり、表示受付手段５０１は、ユーザからの設定項目条件キーの選択を受け付けて「用紙サイズ」の条件設定を実行することになる。
【００９７】
当該構成により、ユーザがリセット画面９００で既設定項目キー９０５を選択している最中に、気が変わって、未設定項目について条件設定したいと希望した場合であっても、複合機１００が柔軟に対応して、当該未設定項目についての条件設定を受け付けることが可能となる。
【００９８】
又、本発明の実施形態では、ユーザがリセット画面９００に表示された既設定項目キー９０２を全て選択し、当該選択を受けてリセット手段５０５が初期条件に戻す処理を実行したが、更に他の構成を追加しても構わない。例えば、複数の設定項目の条件が同時に設定された状態において、他の設定項目の設定条件との関係で、設定項目に設定された設定条件を初期条件に必ずしも変更することが出来ない場合がある。例えば、設定項目「片面／両面」に対して設定条件「両面」が設定されるとともに、設定項目「製本処理」に対して設定条件「ＯＮ」が設定されている場合、「製本処理」の「ＯＮ」の条件を設定したままで、「片面／両面」の「両面」を初期条件「片面」に設定することが出来ない場合がある。又、設定項目「保存形式」に対して設定条件「ＪＰＥＧ」が設定されるとともに、設定項目「モノクロ／カラー」に対して設定条件「モノクロ」（白黒２値ともいう）が設定されている場合、「モノクロ／カラー」の「モノクロ」の条件を設定したままで、「保存形式」に対して「ＪＰＥＧ」を初期条件「ＰＤＦ」（高圧縮ＰＤＦ）に設定することが出来ない場合がある。このような場合の設定項目同士の関係を禁則関係といい、例えば、「Ｃｈａｎｇｅ」キーの選択を受け付けた設定条件画面の設定項目と既設定項目との関係で、当該設定項目の設定条件を変更しないで、既設定項目の設定条件を初期条件に変更することが出来ない関係、言い換えると、当該設定項目と既設定項目との関係が禁則関係となる場合がある。このような場合は、以下のような構成を採用することにより、未然に前記禁則関係となる既設定項目キーの表示を防止し、禁則関係となる既設定項目キーの選択をユーザから受け付けないようにすることが可能となる。そうすることで、ユーザは、禁則関係を認識し、適切な既設定項目キーの選択を実行できるのである。
【００９９】
すなわち、本発明の実施形態に係る画像形成装置１００に、一の設定項目と、他の設定項目と、一の設定項目が初期条件から設定条件に設定された状態において他の設定項目の設定条件を初期条件に変更することが可能か否かを示す情報とを関連付けて記憶するテーブルを備える。そして、当該画像形成装置１００に、前記リセット対象検索手段５０３により検索された既設定項目と、「Ｃｈａｎｇｅ」キーの選択を受け付けた設定条件画面に対応する設定項目と、前記テーブルとに基づいて、当該テーブルの一の設定項目に設定条件画面に対応する設定画面を対応付けた際に、既設定項目の設定条件を初期条件に変更可能か否かを判定するリセット可能判定手段を備える。更に、前記リセット受付手段５０４は、前記リセット可能判定手段が変更可能と判定した既設定項目キーを選択可能に一画面に一覧表示するよう構成する。当該構成により、複数の設定項目の条件が同時に設定された状態において、設定条件画面で条件設定した設定項目との関係で、既設定項目に設定された設定条件を初期条件に変更することが出来ない場合が発生したとしても、リセット画面には、初期条件に変更可能な既設定項目キーのみが選択可能に表示されることとなるから、禁則関係となる既設定項目キーの選択をユーザから受け付けないようにすることが可能となり、ユーザに対するキーの操作性を向上させることが可能となる。
【０１００】
例えば、前記テーブルの一の設定項目「製本処理」と他の設定項目「パンチ」とに対応して、一の設定項目「製本処理」が初期条件「ＯＦＦ」から設定条件「ＯＮ」に設定された状態において他の設定項目「パンチ」の設定条件「ＯＮ」を初期条件「ＯＦＦ」に変更することが出来ることを示す情報「○」を関連付けて記憶しておく。又、前記テーブルの一の設定項目「製本処理」と他の設定項目「片面／両面」とに対応して、一の設定項目「製本処理」が初期条件「ＯＦＦ」から設定条件「ＯＮ」に設定された状態において他の設定項目「片面／両面」の設定条件「両面」を初期条件「片面」に変更することが出来ないことを示す情報「×」を関連付けて記憶しておく。次に、「パンチ」が「ＯＮ」に設定され、「片面／両面」が「両面」に設定された後に、「製本処理」に対応する設定条件画面にて「ＯＮ」キーが選択されるとともに「Ｃｈａｎｇｅ」キーが選択された場合、リセット対象検索手段５０４が、「パンチ」と「片面／両面」とを既設定項目として一旦検索するものの、リセット可能判定手段が、検索された「パンチ」と「片面／両面」とを受けて、上記テーブルの一の設定項目「製本処理」と他の設定項目「パンチ」とに対応する「○」を参照して、「パンチ」は設定条件を初期条件に変更することが出来る既設定項目であると判定する。又、リセット可能判定手段が、上記テーブルの一の設定項目「製本処理」と他の設定項目「片面／両面」とに対応する「×」を参照して、「片面／両面」は設定条件を初期条件に変更することが出来ない既設定項目であると判定する。すると、リセット可能判定手段は、リセット受付手段５０５に「パンチ」のみを通知する。当該通知を受けてリセット受付手段５０５は、「パンチ」キーをリセット画面に選択可能に表示することになる。
【０１０１】
又、他の態様として、リセット可能判定手段が、「片面／両面」を選択不可能とする旨と「パンチ」を選択可能とする旨とをリセット受付５０５に通知し、当該リセット受付手段５０５は、リセット画面に「パンチ」キーを選択可能に表示するとともに「片面／両面」キーをグレーアウト状態（選択出来ない状態）で表示するよう構成してもよい。この場合、リセット受付手段は、「パンチ」キーの表示形式（背景色を灰色とする形式）と異なる表示形式で、当該「片面／両面」キーの背景色を濃い灰色で表示してもよい。
【０１０２】
例えば、当該リセット画面１００６には、図１０Ｆに示すように、メッセージ「設定条件を解除したい項目を選択してください」１００７と、選択可能な既設定項目キー１００８（「パンチ」キー）と、選択不可能な既設定項目キー１００９（「片面／両面」キー）と、先ほど条件設定した「製本処理」キー１０１０と、未設定項目キー１０１１と、「ＯＫ」キー１０１２とが表示される。これにより、ユーザに上述した禁則関係を知らしめることが可能となる。
【０１０３】
又、本発明の実施形態では、表示受付手段５０１が、「片面／両面」８０１ａに関する設定条件画面７０４上に「Ｃｈａｎｇｅ」キー７０８を選択可能に表示するよう構成しているが、更に、他の構成を追加しても構わない。例えば、表示受付手段５０１が、「Ｃｈａｎｇｅ」キー７０８を選択可能に表示する際に、当該「Ｃｈａｎｇｅ」キー７０８の近傍に「このキーの押下により設定条件画面以外の設定項目の条件を初期条件に戻すことが出来ます」等の初期条件に変更するためのキーであることを示すメッセージを表示しても構わない。
【０１０４】
又、本発明の実施形態では、設定画面に対して設定項目毎に割り当てられた設定条件画面が表示される一階層構成について適用したが、多階層構成について適用しても構わない。
【０１０５】
又、本発明の実施形態では、複合機１００が各手段を備えるよう構成したが、当該各手段を実現するプログラムを記憶媒体に記憶させ、当該記憶媒体を提供するよう構成しても構わない。当該構成では、上記プログラムを画像形成装置に読み出させ、その画像形成装置が上記各手段を実現する。その場合、上記記録媒体から読み出されたプログラム自体が本発明の作用効果を奏する。さらに、各手段が実行するステップをハードディスクに記憶させる記憶方法として提供することも可能である。
【産業上の利用可能性】
【０１０６】
以上のように、本発明に係る画像形成装置は、複合機はもちろん、複写機、プリンタ等に有用であり、所定の設定項目について新たに条件を設定することが可能となるとともに、設定項目毎の設定条件画面に表示を切り換えることなく、既に設定された設定項目の設定条件を容易に初期条件に戻すことが可能な画像形成装置として有効である。
【符号の説明】
【０１０７】
１００  複合機
１０３  操作部
５０１  表示受付手段
５０２  項目条件記憶手段
５０３  リセット対象検索手段
５０４  リセット受付手段
５０５  リセット手段
５０６  画像読取手段
５０７  画像記憶手段
５０８  画像形成手段
【図１】
2011113376.tif 000003
【図２】
2011113376.tif 000004
【図３】
2011113376.tif 000005
【図４】
2011113376.tif 000006
【図５】
2011113376.tif 000007
【図６】
2011113376.tif 000008
【図７】
2011113376.tif 000009
【図８】
2011113376.tif 000010
【図９】
2011113376.tif 000011
【図１０】
2011113376.tif 000012